(57)【要約】【課題】内容物の吐出量が減少することを抑制できる構造を有する吐出器を提供する。【解決手段】本発明の吐出器（３０）は、第１シリンダ部（３１）に配置された第１ピストン部（３６ｂ）と、第２シリンダ部（３２）に配置された第２ピストン部（３７ｃ）と、第１シリンダ部と第２シリンダ部とを繋ぐ連通流路部（３４ａ）と、を有する可動部（３４）を備え、第２シリンダ部の内径は、第１シリンダ部の内径よりも大きく、第１シリンダ部には、ヘッド部（３５）が下端位置まで押し下げられた状態において第１ピストン部と対向する凹部（３１ｅ）と、第１シリンダ部の内部と外部とを連通させる連通孔部（３１ｃ）と、が設けられ、第２シリンダ部の内部から連通孔部までの間には、第１ピストン部が凹部と対向する状態において、第２シリンダ部の内部から連通孔部に向かう向きに流れる内容物の流れを規制する規制部（３４ｂ）が設けられていることを特徴とする。【選択図】図２
2020182888.tif 000002
【特許請求の範囲】
【請求項１】
内容物が収容される容器本体の口部に装着される吐出器であって、
内部が前記容器本体の内部と繋がる第１シリンダ部と、
前記第１シリンダ部の上方に配置され、上方付勢状態で下方移動可能な第２シリンダ部と、
前記第１シリンダ部と前記第２シリンダ部との上下方向の間に配置され、上方付勢状態で下方移動可能な可動部と、
前記第２シリンダ部の内部と繋がる吐出孔を有するヘッド部と、
を備え、
前記可動部は、
前記第１シリンダ部の内部に上下方向に摺動自在に配置された第１ピストン部と、
前記第２シリンダ部の内部に上下方向に摺動自在に配置された第２ピストン部と、
前記第１シリンダ部の内部と前記第２シリンダ部の内部とを繋ぐ連通流路部と、
前記第２シリンダ部の内部と前記吐出孔との間を開閉可能な蓄圧弁部と、
を有し、
前記第２シリンダ部の内径は、前記第１シリンダ部の内径よりも大きく、
前記第１シリンダ部には、
前記容器本体の内部から前記第１シリンダ部の内部への前記内容物の流れを許容し、かつ、前記第１シリンダ部の内部から前記容器本体の内部への前記内容物の流れを遮断する第１逆止弁部と、
前記第１シリンダ部の内周面から径方向外側に窪み、前記ヘッド部が下端位置まで押し下げられた状態において前記第１ピストン部と径方向に対向する凹部と、
前記第１ピストン部よりも上方に位置し、前記第１ピストン部が前記凹部と径方向に対向する状態において、前記凹部を介して、前記第１シリンダ部の内部のうち前記第１ピストン部よりも下方に位置する部分と前記第１シリンダ部の外部とを連通させる連通孔部と、
が設けられ、
前記第２シリンダ部の内部から前記連通孔部までの間には、前記第１ピストン部が前記凹部と径方向に対向する状態において、前記第２シリンダ部の内部から前記連通孔部に向かう向きに流れる前記内容物の流れを規制する規制部が設けられていることを特徴とする吐出器。
【請求項２】
前記規制部は、前記連通孔部から前記第２シリンダ部の内部に向かう向きに流れる前記内容物の流れを許容し、かつ、前記第２シリンダ部の内部から前記連通孔部に向かう向きに流れる前記内容物の流れを遮断する第２逆止弁部であることを特徴とする請求項１に記載の吐出器。
【請求項３】
前記第１シリンダ部の内部に配置されたガイド部をさらに備え、
前記連通流路部は、下方に開口し、
前記ガイド部の上端は、下方から前記連通流路部の内部に挿入されており、
前記規制部は、前記ガイド部の外面と前記連通流路部の内面との少なくとも一方に設けられ、前記第１ピストン部が前記凹部と径方向に対向する状態において、前記ガイド部の外面と前記連通流路部の内面との他方に接触して前記ガイド部の外面と前記連通流路部の内面との間を封止する封止部であることを特徴とする請求項１に記載の吐出器。
【発明の詳細な説明】
【技術分野】
【０００１】
本発明は、吐出器に関する。
【背景技術】
【０００２】
ヘッド部を下方に移動させることにより、吐出孔から内容物が吐出される蓄圧式の吐出器が知られている。このような吐出器においては、内容物が流入されるシリンダ部内の圧力が、ヘッド部を下端位置まで押し下げて内容物を吐出させた後において高い状態のままとなり、シリンダ部内に内容物を十分に流入できない問題があった。これに対して、例えば、特許文献１には、ヘッド部が下端位置まで押し下げられた状態において、シリンダ部の内部と外部とを連通させる透孔を設けて、シリンダ部内の圧力を逃がす構造が記載されている。
【先行技術文献】
【特許文献】
【０００３】
【特許文献１】特公昭６０−３２５０５号公報
【発明の概要】
【発明が解決しようとする課題】
【０００４】
上記のような吐出器においては、ヘッド部が下端位置まで押し下げられる直前等に、透孔を介して、シリンダ部内の内容物の一部がシリンダ部の外部に排出される。そのため、シリンダ部内の内容物が減少し、吐出孔から吐出される内容物の量が減少する問題があった。したがって、例えば所望の吐出量を得るためにシリンダ部の容積を大きくする必要があり、吐出器を小型化しにくい問題等があった。
【０００５】
本発明の一つの態様は、上記事情に鑑みて、内容物の吐出量が減少することを抑制できる構造を有する吐出器を提供することを目的の一つとする。
【課題を解決するための手段】
【０００６】
本発明の吐出器の一つの態様は、内容物が収容される容器本体の口部に装着される吐出器であって、内部が前記容器本体の内部と繋がる第１シリンダ部と、前記第１シリンダ部の上方に配置され、上方付勢状態で下方移動可能な第２シリンダ部と、前記第１シリンダ部と前記第２シリンダ部との上下方向の間に配置され、上方付勢状態で下方移動可能な可動部と、前記第２シリンダ部の内部と繋がる吐出孔を有するヘッド部と、を備え、前記可動部は、前記第１シリンダ部の内部に上下方向に摺動自在に配置された第１ピストン部と、前記第２シリンダ部の内部に上下方向に摺動自在に配置された第２ピストン部と、前記第１シリンダ部の内部と前記第２シリンダ部の内部とを繋ぐ連通流路部と、前記第２シリンダ部の内部と前記吐出孔との間を開閉可能な蓄圧弁部と、を有し、前記第２シリンダ部の内径は、前記第１シリンダ部の内径よりも大きく、前記第１シリンダ部には、前記容器本体の内部から前記第１シリンダ部の内部への前記内容物の流れを許容し、かつ、前記第１シリンダ部の内部から前記容器本体の内部への前記内容物の流れを遮断する第１逆止弁部と、前記第１シリンダ部の内周面から径方向外側に窪み、前記ヘッド部が下端位置まで押し下げられた状態において前記第１ピストン部と径方向に対向する凹部と、前記第１ピストン部よりも上方に位置し、前記第１ピストン部が前記凹部と径方向に対向する状態において、前記凹部を介して、前記第１シリンダ部の内部のうち前記第１ピストン部よりも下方に位置する部分と前記第１シリンダ部の外部とを連通させる連通孔部と、が設けられ、前記第２シリンダ部の内部から前記連通孔部までの間には、前記第１ピストン部が前記凹部と径方向に対向する状態において、前記第２シリンダ部の内部から前記連通孔部に向かう向きに流れる前記内容物の流れを規制する規制部が設けられていることを特徴とする。
【０００７】
本発明の吐出器の一つの態様によれば、第２シリンダ部の内部から連通孔部までの間には、第１ピストン部が凹部と径方向に対向する状態において、第２シリンダ部の内部から連通孔部に向かう向きに流れる内容物の流れを規制する規制部が設けられている。これにより、連通孔部を介して第１シリンダ部の内部の圧力を逃がしつつ、第２シリンダ部の内部から内容物が逆流して排出されることを抑制できる。したがって、本発明の吐出器の一つの態様によれば、内容物の吐出量が減少することを抑制できる構造を有する吐出器が得られる。そのため、第２シリンダ部の容積を必要以上に大きくしなくても、所望の吐出量を得ることができる。したがって、吐出器を小型化できる。
【０００８】
また、連通孔部を介して排出される内容物の量には、例えば第１シリンダ部の内部に収容されている内容物の量等に応じて、バラつきが生じやすい。そのため、従来のように第２シリンダ部の内部から内容物が排出されてしまう場合には、第２シリンダ部から排出される内容物の量にもバラつきが生じ、吐出器から吐出される内容物の量にバラつきが生じる場合があった。
これに対して、本発明の吐出器の一つの態様によれば、規制部によって第２シリンダ部の内部から内容物が排出されることを抑制できるため、吐出器から吐出される内容物の量にバラつきが生じることも抑制できる。
【０００９】
前記規制部は、前記連通孔部から前記第２シリンダ部の内部に向かう向きに流れる前記内容物の流れを許容し、かつ、前記第２シリンダ部の内部から前記連通孔部に向かう向きに流れる前記内容物の流れを遮断する第２逆止弁部である構成としてもよい。
この構成によれば、第１ピストン部の上下方向の位置によらず、第２逆止弁部によって、第２シリンダ部の内部の内容物が連通孔部から排出されることを阻止できる。これにより、吐出器における内容物の吐出量が減少することをより抑制できる。
【００１０】
前記第１シリンダ部の内部に配置されたガイド部をさらに備え、前記連通流路部は、下方に開口し、前記ガイド部の上端は、下方から前記連通流路部の内部に挿入されており、前記規制部は、前記ガイド部の外面と前記連通流路部の内面との少なくとも一方に設けられ、前記第１ピストン部が前記凹部と径方向に対向する状態において、前記ガイド部の外面と前記連通流路部の内面との他方に接触して前記ガイド部の外面と前記連通流路部の内面との間を封止する封止部である構成としてもよい。
この構成によれば、ガイド部の外面と連通流路部の内面との少なくとも一方に封止部を設けることのみで規制部を構成できるため、逆止弁部を設ける場合に比べて吐出器の構造を簡単にしつつ、吐出器における内容物の吐出量が減少することを抑制できる。
【発明の効果】
【００１１】
本発明の一つの態様によれば、内容物の吐出量が減少することを抑制できる構造を有する吐出器が提供される。
【図面の簡単な説明】
【００１２】
【図１】図１は、第１実施形態の吐出器を示す部分断面図である。
【図２】図２は、第１実施形態の吐出器における操作時の状態を示す部分断面図である。
【図３】図３は、第２実施形態の吐出器の一部を示す断面図である。
【図４】図４は、第３実施形態の吐出器の一部を示す断面図である。
【図５】図５は、第４実施形態の吐出器の一部を示す断面図である。
【発明を実施するための形態】
【００１３】
以下、図面を参照しながら、本発明の実施形態に係る吐出器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１４】
＜第１実施形態＞
図１に示すように、本実施形態の吐出器３０は、内容物が収容される容器本体２０の口部２１に装着される吐出器である。吐出器３０が口部２１に装着されることで、容器本体２０と吐出器３０とを備える吐出容器１０が構成される。容器本体２０に収容される内容物は、特に限定されないが、例えば医薬品、化粧品、香料等の液体である。
【００１５】
ここで本実施形態では、容器本体２０および吐出器３０の各中心軸は、共通の軸線上に配置されている。以下、この共通の軸線を容器本体２０の容器軸Ｏといい、容器軸Ｏに沿う容器軸方向を上下方向という。また、上下方向に沿う容器本体２０の底部側（−Ｚ側）を下方といい、口部２１側（＋Ｚ側）を上方という。上下方向から見た平面視において、容器軸Ｏに交差する方向を径方向という。
【００１６】
吐出器３０は、装着筒部３３と、第１シリンダ部３１と、ガイド部３９と、第２シリンダ部３２と、ヘッド部３５と、可動部３４と、付勢部材３８と、を備えている。
装着筒部３３は、容器本体２０の口部２１に装着される。装着筒部３３は、円環板部３３ａと、装着筒部本体３３ｂと、ガイド筒部３３ｃと、外筒部３３ｄと、を備えている。
円環板部３３ａは、容器軸Ｏと同軸に配置された円環板状である。
【００１７】
装着筒部本体３３ｂは、円環板部３３ａの径方向外縁部から下方に延びている。装着筒部本体３３ｂは、容器軸Ｏと同軸に配置された円筒状である。装着筒部本体３３ｂは、下方に開口している。装着筒部本体３３ｂの内周面には、雌ネジ部が形成されている。装着筒部本体３３ｂの雌ネジ部は、容器本体２０の口部２１に形成された雄ネジ部と螺合される。これにより、装着筒部３３は、口部２１に装着され、吐出器３０は、容器本体２０に固定される。
【００１８】
ガイド筒部３３ｃは、円環板部３３ａの径方向内縁部から上方に突出している。ガイド筒部３３ｃは、容器軸Ｏと同軸に配置された円筒状である。ガイド筒部３３ｃは、上方に開口している。ガイド筒部３３ｃの上端部における内周面には、径方向内側に突出する係合突起が形成されている。
外筒部３３ｄは、円環板部３３ａから上方に突出している。外筒部３３ｄは、ガイド筒部３３ｃの径方向外側に隙間を介して配置されている。外筒部３３ｄは、装着筒部本体３３ｂよりも径方向内側に位置する。外筒部３３ｄは、容器軸Ｏと同軸に配置された円筒状である。外筒部３３ｄは、上方に開口している。外筒部３３ｄの上端部は、ガイド筒部３３ｃの上端部よりも僅かに上方に位置する。
【００１９】
第１シリンダ部３１は、容器軸Ｏと同軸に配置され、上下方向に延びる円筒状である。第１シリンダ部３１は、上下方向の両側に開口している。第１シリンダ部３１は、装着筒部３３の内部から、装着筒部３３よりも下方に突出して延びている。第１シリンダ部３１は、容器本体２０の内部に挿入される。第１シリンダ部３１の外径は、円環板部３３ａの内径よりも小さい。第１シリンダ部３１の下端部内には、吸引筒３１ｉの上端部が嵌入されている。図示は省略するが、吸引筒３１ｉは、両端が開口しており、下端部が内容物に浸漬される。吸引筒３１ｉを介して、第１シリンダ部３１の内部は、容器本体２０の内部と繋がる。
【００２０】
第１シリンダ部３１の上端部には、径方向外側に拡がるシリンダフランジ部３１ｂが設けられている。シリンダフランジ部３１ｂは、装着筒部本体３３ｂの上端部における内部に嵌合されている。これにより、第１シリンダ部３１は、装着筒部３３に取り付けられている。シリンダフランジ部３１ｂの上面は、円環板部３３ａの下面と接触している。シリンダフランジ部３１ｂの下面は、容器本体２０の口部２１の上端部に、例えばシール部材等を介して接触する。
【００２１】
第１シリンダ部３１には、第１逆止弁部３１ｆが設けられている。本実施形態において第１逆止弁部３１ｆは、第１シリンダ部３１のうち下端部の近傍に設けられている。第１逆止弁部３１ｆは、装着筒部３３よりも下方に位置する。第１逆止弁部３１ｆは、第１シリンダ部３１の内周面から径方向内側に突設された第１弁座部３１ｇと、第１弁座部３１ｇの上方に位置する第１ボール弁３１ｈと、を有する。
【００２２】
第１弁座部３１ｇは、径方向内側に向かうに従い下方に延在するテーパ筒状に形成されている。
第１ボール弁３１ｈは、第１シリンダ部３１の内周面と第１弁座部３１ｇの上面とガイド部３９の下面とで囲まれた収容空間３１ｊに収容されている。第１ボール弁３１ｈは、第１弁座部３１ｇに対して接離可能である。収容空間３１ｊは、第１ボール弁３１ｈが第１弁座部３１ｇに着座した状態において、第１シリンダ部３１の内部のうち収容空間３１ｊよりも下方に位置する部分と遮断される。これにより、第１シリンダ部３１の内部と容器本体２０の内部との連通が遮断される。収容空間３１ｊは、第１ボール弁３１ｈが第１弁座部３１ｇから離間した状態において、第１シリンダ部３１の内部のうち収容空間３１ｊよりも下方に位置する部分と連通される。これにより、収容空間３１ｊを介して、第１シリンダ部３１の内部と容器本体２０の内部とが連通される。
なお、図１および図２では、第１ボール弁３１ｈが、第１弁座部３１ｇに着座した状態を示している。
【００２３】
容器本体２０内の内容物が吸引筒３１ｉを介して第１シリンダ部３１の内部に流入しようとする場合、第１ボール弁３１ｈは、内容物によって上方に押し上げられ、第１弁座部３１ｇから離間する。そのため、第１シリンダ部３１の内部と容器本体２０の内部とが連通され、吸引筒３１ｉを介して第１シリンダ部３１の内部に内容物が流入する。
一方、第１シリンダ部３１の内部に流入した内容物が容器本体２０の内部に逆流しようとする場合、第１ボール弁３１ｈは、内容物によって第１弁座部３１ｇに押し付けられて着座する。そのため、第１シリンダ部３１の内部と容器本体２０の内部との連通が遮断され、第１シリンダ部３１の内部の内容物が容器本体２０の内部に逆流することを阻止できる。
以上のようにして、第１逆止弁部３１ｆは、容器本体２０の内部から第１シリンダ部３１の内部への内容物の流れを許容し、かつ、第１シリンダ部３１の内部から容器本体２０の内部への内容物の流れを遮断する。
【００２４】
第１シリンダ部３１には、第１シリンダ部３１の周壁部３１ａを径方向に貫通する第１連通孔部（連通孔部）３１ｃおよび第２連通孔部３１ｄと、周壁部３１ａの内周面、すなわち第１シリンダ部３１の内周面から径方向外側に窪む環状凹部（凹部）３１ｅと、が設けられている。
第１連通孔部３１ｃおよび第２連通孔部３１ｄは、装着筒部３３の下端部よりも上方に位置する。第２連通孔部３１ｄは、第１連通孔部３１ｃよりも上方に位置する。第１連通孔部３１ｃおよび第２連通孔部３１ｄは、装着筒部３３の内部に位置し、容器本体２０における口部２１の内部に開口する。第１連通孔部３１ｃおよび第２連通孔部３１ｄは、後述する第１ピストン部３６ｂよりも上方に位置する。
本実施形態において環状凹部３１ｅは、容器軸Ｏと同軸に配置された円環状である。環状凹部３１ｅは、周壁部３１ａの内周面のうち装着筒部３３よりも下方に位置する部分に形成されている。環状凹部３１ｅは、第１連通孔部３１ｃよりも下方に位置し、かつ、第１逆止弁部３１ｆよりも上方に位置する。
【００２５】
ガイド部３９は、第１シリンダ部３１の内部に配置されている。ガイド部３９は、容器軸Ｏと同軸に配置され、上下方向に延びる円柱状である。ガイド部３９は、大径部３９ａと、小径部３９ｂと、テーパ部３９ｃと、複数の脚部３９ｄと、を有する。
大径部３９ａは、ガイド部３９の下側部分である。大径部３９ａの下面は、収容空間３１ｊを画成するガイド部３９の下面である。
小径部３９ｂは、ガイド部３９の上側部分である。小径部３９ｂの外径は、大径部３９ａの外径よりも小さい。小径部３９ｂの上端部は、ガイド部３９の上端部である。小径部３９ｂの上端部は、第１シリンダ部３１の上端部よりも下方に位置する。
【００２６】
テーパ部３９ｃは、大径部３９ａと小径部３９ｂとを繋ぐ部分である。テーパ部３９ｃの外径は、下方から上方に向かうに従って小さくなる。テーパ部３９ｃの下端部の外径は、大径部３９ａの外径と同じである。テーパ部３９ｃの上端部の外径は、小径部３９ｂの外径と同じである。
複数の脚部３９ｄは、大径部３９ａの下端部から径方向外側に突出する。複数の脚部３９ｄは、容器軸Ｏを中心とする周方向に沿って互いに間隔を空けて配置されている。脚部３９ｄの下端部は、大径部３９ａよりも下方に位置する。脚部３９ｄの下端部は、第１シリンダ部３１の内周面に設けられた段差部に突き当てられている。これにより、ガイド部３９は、第１シリンダ部３１の内周面に設けられた段差部によって下方から支持されている。
【００２７】
第２シリンダ部３２は、第１シリンダ部３１の上方に配置され、上方付勢状態で下方移動可能である。第２シリンダ部３２は、容器軸Ｏと同軸に配置され、下方に開口する有頂の円筒状である。第２シリンダ部３２は、頂壁部３２ａと、筒部３２ｂと、を有する。頂壁部３２ａは、容器軸Ｏと同軸に配置された円板状である。頂壁部３２ａの中央部には、頂壁部３２ａを上下方向に貫通する貫通孔３２ｃが形成されている。
【００２８】
筒部３２ｂは、頂壁部３２ａの径方向外縁部から下方に延びている。筒部３２ｂは、容器軸Ｏと同軸に配置され、下方に開口する円筒状である。筒部３２ｂの内径、すなわち第２シリンダ部３２の内径は、周壁部３１ａの内径、すなわち第１シリンダ部３１の内径よりも大きい。筒部３２ｂは、ガイド筒部３３ｃの径方向内側に隙間を介して嵌合されている。筒部３２ｂは、ガイド筒部３３ｃに対して、上下方向に移動可能である。筒部３２ｂの下端部の外周面には、径方向外側に突出する係合突起が形成されている。筒部３２ｂの係合突起は、ガイド筒部３３ｃの係合突起に対して下方から係合している。
【００２９】
第２シリンダ部３２には、頂壁部３２ａの上面から上方に突出する内筒部３２ｄおよび外筒部３２ｅが設けられている。内筒部３２ｄおよび外筒部３２ｅは、容器軸Ｏと同軸に配置され、上方に開口する円筒状である。外筒部３２ｅは、内筒部３２ｄの径方向外側に位置する。内筒部３２ｄは、頂壁部３２ａのうち貫通孔３２ｃの周縁部から上方に突出している。内筒部３２ｄの内部は、貫通孔３２ｃを介して、筒部３２ｂの内部と繋がっている。外筒部３２ｅは、頂壁部３２ａのうち径方向外縁部から上方に突出している。外筒部３２ｅの上端部は、内筒部３２ｄの上端部よりも下方に位置する。
【００３０】
ヘッド部３５は、第２シリンダ部３２に取り付けられている。ヘッド部３５は、容器軸Ｏと同軸に配置され、下方に開口する有頂の略円筒状である。ヘッド部３５は、第２シリンダ部３２とともに、上方付勢状態で下方移動可能である。ヘッド部３５は、ヘッド頂壁部３５ａと、ヘッド頂壁部３５ａの径方向外縁部から下方に延びるヘッド外筒部３５ｂと、ヘッド外筒部３５ｂの径方向内側に位置し、ヘッド頂壁部３５ａから下方に延びるヘッド内筒部３５ｃと、を有する。
【００３１】
ヘッド外筒部３５ｂは、第２シリンダ部３２の径方向外側に位置する。ヘッド外筒部３５ｂの下端部は、第２シリンダ部３２の下端部よりも上方に位置する。ヘッド外筒部３５ｂの下端部は、装着筒部３３におけるガイド筒部３３ｃと外筒部３３ｄとの径方向の間に挿入されている。
ヘッド内筒部３５ｃは、第２シリンダ部３２に設けられた内筒部３２ｄに外嵌されている。これにより、ヘッド部３５は、内筒部３２ｄを介して第２シリンダ部３２に取り付けられている。ヘッド内筒部３５ｃの下端部は、第２シリンダ部３２の頂壁部３２ａの上面に接触している。ヘッド内筒部３５ｃの下端部は、第２シリンダ部３２に設けられた内筒部３２ｄと外筒部３２ｅとの径方向の間に挿入されている。
【００３２】
ヘッド部３５は、ノズル部３５ｄを有する。ノズル部３５ｄは、ノズル貫通孔３５ｅと、ノズルチップ３５ｆと、ノズル軸部３５ｇと、を有する。
ノズル貫通孔３５ｅは、ヘッド外筒部３５ｂの外周面からヘッド内筒部３５ｃの内周面まで径方向に延びる孔である。
ノズルチップ３５ｆは、ノズル貫通孔３５ｅに径方向外側から嵌合されて固定されている。ノズルチップ３５ｆは、径方向内側に開口し、径方向外側に蓋部を有する円筒状の部材である。ノズルチップ３５ｆの蓋部の中央部には、ノズルチップ３５ｆの蓋部を径方向に貫通する吐出孔３５ｈが形成されている。吐出孔３５ｈは、ノズル貫通孔３５ｅ、ヘッド内筒部３５ｃの内部、第２シリンダ部３２に設けられた内筒部３２ｄの内部、および貫通孔３２ｃを介して、第２シリンダ部３２の内部と繋がっている。
【００３３】
ノズル軸部３５ｇは、ヘッド内筒部３５ｃから径方向外側に突出している。ノズル軸部３５ｇは、ノズルチップ３５ｆの内部に挿入されている。ノズル軸部３５ｇの径方向外側の端部は、ノズルチップ３５ｆの蓋部と隙間を介して対向している。ノズル軸部３５ｇの外周面は、ノズルチップ３５ｆの内周面と隙間を介して対向している。
【００３４】
可動部３４は、第１シリンダ部３１と第２シリンダ部３２との上下方向の間に配置され、上方付勢状態で下方移動可能である。本実施形態において可動部３４は、第１プランジャ３６と、第２プランジャ３７と、を有する。
第１プランジャ３６は、容器軸Ｏと同軸に配置され、上下方向に延びる円筒状である。第１プランジャ３６は、上下方向両側に開口している。第１プランジャ３６の下側部分は、第１シリンダ部３１の内部に挿入されている。第１プランジャ３６の上端部は、第２シリンダ部３２の内部に挿入されている。第１プランジャ３６は、上下方向に延びる円筒状の第１プランジャ筒部３６ａと、第１プランジャ筒部３６ａの下端部に設けられた第１ピストン部３６ｂと、を有する。
【００３５】
第１プランジャ筒部３６ａの内周面、すなわち第１プランジャ３６の内周面は、下方から上方に向かうに従って内径が小さくなる縮径部３６ｃを有する。縮径部３６ｃは、ガイド部３９のテーパ部３９ｃの上方に位置する。第１プランジャ筒部３６ａの内部には、下方からガイド部３９が挿入されている。吐出器３０が操作されていない状態において、第１プランジャ筒部３６ａの内部には、ガイド部３９のうち小径部３９ｂおよびテーパ部３９ｃが挿入されている。吐出器３０が操作されていない状態において、テーパ部３９ｃは、第１プランジャ筒部３６ａの下端部における内部に挿入されている。
なお、吐出器３０が操作されていない状態とは、ヘッド部３５が押し下げられていない状態であり、図１に示す状態である。
【００３６】
第１ピストン部３６ｂは、第１シリンダ部３１の内部に配置されている。第１ピストン部３６ｂは、第１プランジャ筒部３６ａの下端部における径方向外縁部から下方に突出している。第１ピストン部３６ｂは、下方に向かうに従って径方向外側に延在している。第１ピストン部３６ｂは、容器軸Ｏと同軸に配置され、下方に開口する円筒状である。第１ピストン部３６ｂの下端部における外周面は、第１シリンダ部３１の内周面に接触している。第１ピストン部３６ｂは、第１シリンダ部３１の内部に上下方向に摺動自在に配置されている。第１ピストン部３６ｂは、第１シリンダ部３１に設けられた第１連通孔部３１ｃよりも下方に位置する。吐出器３０が操作されていない状態において、第１ピストン部３６ｂは、環状凹部３１ｅよりも上方に位置する。
【００３７】
第２プランジャ３７は、容器軸Ｏと同軸に配置され、上下方向に延びる有頂の円筒状である。第２プランジャ３７は、下方に開口している。第２プランジャ３７は、第１プランジャ３６の上側部分に外嵌されて固定されている。第２プランジャ３７の上端部は、第２シリンダ部３２の内部に挿入されている。第２プランジャ３７は、上下方向に延びる円筒状の第２プランジャ筒部３７ａと、第２プランジャ３７の頂壁部である蓄圧弁部３７ｂと、第２プランジャ筒部３７ａの上端部に設けられた第２ピストン部３７ｃと、第２プランジャ筒部３７ａの下端部に設けられた環状シール部３７ｄと、を有する。
【００３８】
第２プランジャ筒部３７ａは、第１プランジャ筒部３６ａの上側部分に外嵌されて固定されている。第２プランジャ筒部３７ａの下端部は、第１プランジャ筒部３６ａの外周面に設けられた段差部に上方から突き当てられている。第２プランジャ筒部３７ａの下端部は、第１シリンダ部３１の内部に挿入されている。
蓄圧弁部３７ｂは、第１プランジャ３６の上方に間隔を空けて配置されている。蓄圧弁部３７ｂは、容器軸Ｏと同軸に配置され、上方に向けて凸となる略円錐状である。蓄圧弁部３７ｂの上端部における外径は、第２シリンダ部３２に設けられた貫通孔３２ｃの内径よりも小さい。蓄圧弁部３７ｂの下端部における外径は、第２シリンダ部３２に設けられた貫通孔３２ｃの内径よりも大きい。これにより、蓄圧弁部３７ｂは、貫通孔３２ｃに下方から挿入されることで、貫通孔３２ｃを閉塞可能となっている。
【００３９】
図１では、蓄圧弁部３７ｂによって貫通孔３２ｃが閉塞された状態を示している。蓄圧弁部３７ｂによって貫通孔３２ｃが閉塞されると、第２シリンダ部３２の内部と吐出孔３５ｈとの間の連通が遮断される。図２では、蓄圧弁部３７ｂが貫通孔３２ｃの下方に離間し、貫通孔３２ｃが開放された状態を示している。貫通孔３２ｃが開放されると、第２シリンダ部３２の内部と吐出孔３５ｈとが連通する。このように、蓄圧弁部３７ｂは、第２シリンダ部３２の内部と吐出孔３５ｈとの間を開閉可能である。
【００４０】
図１に示すように、蓄圧弁部３７ｂには、第２プランジャ３７の内部と外部とを繋ぐ孔部３７ｅが設けられている。孔部３７ｅは、蓄圧弁部３７ｂの径方向外縁部を上下方向に貫通している。孔部３７ｅは、容器軸Ｏを中心とする周方向に沿って間隔を空けて複数設けられている。孔部３７ｅは、第２プランジャ３７の内部における上端部と第２シリンダ部３２の内部とを繋いでいる。本実施形態では、第１プランジャ３６の内部と第２プランジャ３７の内部における上端部と孔部３７ｅとによって、連通流路部３４ａが構成されている。
【００４１】
連通流路部３４ａは、上下方向に延びて、第１シリンダ部３１の内部と第２シリンダ部３２の内部とを繋いでいる。連通流路部３４ａは、第２プランジャ３７に設けられた孔部３７ｅを介して上方に開口している。連通流路部３４ａは、第１プランジャ３６の下端開口を介して、下方に開口している。連通流路部３４ａの内部には、ガイド部３９の上端部が下方から挿入されている。
【００４２】
第２ピストン部３７ｃは、第２シリンダ部３２の内部に挿入されている。第２ピストン部３７ｃは、第２プランジャ筒部３７ａの上端部から径方向外側に突出している。第２ピストン部３７ｃは、容器軸Ｏと同軸に配置され、上下方向両側に開口する円筒状である。第２ピストン部３７ｃの上下方向の中央部は、第２プランジャ筒部３７ａの上端部の外周面に繋がっている。第２ピストン部３７ｃの上側部分は、上方に向かうに従って径方向外側に延在している。第２ピストン部３７ｃの上端部は、蓄圧弁部３７ｂの上端部よりも下方に位置する。第２ピストン部３７ｃの下側部分は、下方に向かうに従って径方向外側に延在している。第２ピストン部３７ｃの上端部における外周面と第２ピストン部３７ｃの下端部における外周面とは、第２シリンダ部３２の内周面に接触している。第２ピストン部３７ｃは、第２シリンダ部３２の内部に上下方向に摺動自在に配置されている。
【００４３】
環状シール部３７ｄは、第１シリンダ部３１の内部に配置されている。環状シール部３７ｄは、第２プランジャ筒部３７ａの下端部における径方向外縁部から下方に突出している。環状シール部３７ｄは、下方に向かうに従って径方向外側に延在している。環状シール部３７ｄは、容器軸Ｏと同軸に配置され、下方に開口する円筒状である。環状シール部３７ｄの下端部における外周面は、第１シリンダ部３１の内周面に接触している。環状シール部３７ｄは、第１シリンダ部３１の内部に上下方向に摺動自在に配置されている。環状シール部３７ｄは、第１ピストン部３６ｂよりも上方に位置する。環状シール部３７ｄは、第１連通孔部３１ｃよりも上方に位置する。吐出器３０が操作されていない状態において、環状シール部３７ｄは、第２連通孔部３１ｄよりも上方に位置する。
【００４４】
本実施形態において可動部３４には、第２逆止弁部（規制部）３４ｂが設けられている。本実施形態において第２逆止弁部３４ｂは、第２シリンダ部３２の内部から第１連通孔部３１ｃまでの間に設けられた規制部に相当する。なお、第２シリンダ部３２の内部から第１連通孔部３１ｃまでの間とは、第２シリンダ部３２の内部から第１連通孔部３１ｃまで内容物が流れる場合に、内容物が通る流路である。本実施形態において第２シリンダ部３２の内部から第１連通孔部３１ｃまでの間とは、連通流路部３４ａと、第１シリンダ部３１の内部のうち第１ピストン部３６ｂよりも下方に位置する部分と、環状凹部３１ｅと、可動部３４の外周面と第１シリンダ部３１の内周面との径方向の隙間と、を含む。
【００４５】
本実施形態において第２逆止弁部３４ｂは、可動部３４の上端部近傍に設けられている。第２逆止弁部３４ｂは、第２シリンダ部３２の内部に位置する。第２逆止弁部３４ｂは、第１プランジャ３６の上端部に設けられた第２弁座部３６ｄと、第２弁座部３６ｄの上方に位置する第２ボール弁３４ｃと、を有する。
第２弁座部３６ｄは、第１プランジャ筒部３６ａの上端面であり、径方向内側に向かうに従い下方に位置するテーパ面状に形成されている。
第２ボール弁３４ｃは、第２弁座部３６ｄと第２プランジャ筒部３７ａの内周面と蓄圧弁部３７ｂの下端面とで囲まれた収容空間３４ｄに収容されている。収容空間３４ｄは、連通流路部３４ａの内部の一部である。第２ボール弁３４ｃは、第２弁座部３６ｄに対して接離可能である。
【００４６】
収容空間３４ｄは、第２ボール弁３４ｃが第２弁座部３６ｄに着座した状態において、第１プランジャ３６の内部と遮断される。これにより、第２ボール弁３４ｃによって連通流路部３４ａの一部が閉塞され、第１シリンダ部３１の内部と第２シリンダ部３２の内部との連通が遮断される。収容空間３４ｄは、第２ボール弁３４ｃが第２弁座部３６ｄから離間した状態において、第１プランジャ３６の内部と連通される。これにより、収容空間３４ｄを介して、第１シリンダ部３１の内部と第２シリンダ部３２の内部とが連通される。
【００４７】
第１シリンダ部３１の内部の内容物が連通流路部３４ａを介して第２シリンダ部３２の内部に流入しようとする場合、第２ボール弁３４ｃは、内容物によって上方に押し上げられ、第２弁座部３６ｄから離間する。そのため、第１シリンダ部３１の内部と第２シリンダ部３２の内部とが連通され、第２シリンダ部３２の内部に内容物が流入する。
一方、第２シリンダ部３２の内部に流入した内容物が第１シリンダ部３１の内部に逆流しようとする場合、第２ボール弁３４ｃは、内容物によって第２弁座部３６ｄに押し付けられて着座する。そのため、第１シリンダ部３１の内部と第２シリンダ部３２の内部との連通が遮断され、第２シリンダ部３２の内部の内容物が第１シリンダ部３１の内部に逆流することを阻止できる。
以上のようにして、第２逆止弁部３４ｂは、第１シリンダ部３１の内部から第２シリンダ部３２の内部への内容物の流れを許容し、かつ、第２シリンダ部３２の内部から第１シリンダ部３１の内部への内容物の流れを遮断する。
【００４８】
付勢部材３８は、上下方向に延びるコイルスプリングである。付勢部材３８は、第１シリンダ部３１の内部に収容されている。付勢部材３８の下端部は、ガイド部３９の複数の脚部３９ｄに上方から接触している。付勢部材３８は、上端部が可動部３４に下方から接触しており、可動部３４に上方向きの弾性力を加えている。また、付勢部材３８は、可動部３４を介して第２シリンダ部３２およびヘッド部３５にも上方向きの弾性力を加えている。これにより、付勢部材３８によって、可動部３４、第２シリンダ部３２およびヘッド部３５が上方に付勢された状態となる。本実施形態において付勢部材３８の上端部は、第１プランジャ筒部３６ａの下端部に接触している。
【００４９】
図２に示すように、付勢部材３８の弾性力に抗して、ヘッド部３５が下方に押し下げられると、ヘッド部３５とともに第２シリンダ部３２および可動部３４が押し下げられる。これにより、第１ピストン部３６ｂが下方に移動して、第１シリンダ部３１の内部のうち第１ピストン部３６ｂと第１逆止弁部３１ｆとの間に位置する部分の容積が小さくなる。したがって、第１シリンダ部３１の内部、および連通流路部３４ａを介して繋がる第２シリンダ部３２の内部が加圧される。なお、このとき第１逆止弁部３１ｆは閉じた状態となり、第２逆止弁部３４ｂは開いた状態となっている。
【００５０】
ここで、ヘッド部３５を押し下げる際において、第１シリンダ部３１の内部の圧力と第２シリンダ部３２の内部の圧力とは同じとなる。しかし、第２シリンダ部３２の内径が第１シリンダ部３１の内径よりも大きいため、第２シリンダ部３２の内部の内容物から可動部３４が下方向きに受ける力は、第１シリンダ部３１の内部の内容物から可動部３４が上方向きに受ける力よりも大きくなる。そのため、第１シリンダ部３１の内部および第２シリンダ部３２の内部が加圧されると、第２シリンダ部３２の内部の圧力によって、可動部３４が付勢部材３８の弾性力に抗して、第２シリンダ部３２に対して下方に相対移動する。これにより、蓄圧弁部３７ｂが貫通孔３２ｃよりも下方に離間して、貫通孔３２ｃが開放される。したがって、第２シリンダ部３２の内部に収容された内容物が、貫通孔３２ｃを介してノズル部３５ｄへと流れ、吐出孔３５ｈから吐出される。
【００５１】
なお、ヘッド部３５が押し下げられると、環状シール部３７ｄが第２連通孔部３１ｄよりも下方に移動し、第２連通孔部３１ｄとガイド筒部３３ｃの内部とが連通される。これにより、第２シリンダ部３２の筒部３２ｂとガイド筒部３３ｃとの隙間、ガイド筒部３３ｃの内部、および第２連通孔部３１ｄを介して、容器本体２０の内部が吐出容器１０の外部と連通する。したがって、ヘッド部３５が押し下げられて内容物が吐出された際に、吐出容器１０の外部の空気が容器本体２０の内部に流入し、容器本体２０の内部の圧力が低下することを抑制できる。
【００５２】
ヘッド部３５が押し下げられ、可動部３４が下方に移動していくと、第１ピストン部３６ｂは、環状凹部３１ｅと径方向に対向する位置に到達する。ここで、第１ピストン部３６ｂはヘッド部３５が下端位置まで押し下げられた状態において環状凹部３１ｅと径方向に対向する。すなわち、環状凹部３１ｅは、ヘッド部３５が下端位置まで押し下げられた状態において第１ピストン部３６ｂと径方向に対向する。しかし、上述したように内容物が吐出される際においては、可動部３４がヘッド部３５および第２シリンダ部３２よりも下方に押し下げられている。そのため、図２に示すように、第１ピストン部３６ｂは、ヘッド部３５が下端位置まで押し下げられる前に環状凹部３１ｅと対向する位置まで到達する。
【００５３】
なお、本実施形態においてヘッド部３５が下端位置まで押し下げられた状態とは、第２シリンダ部３２の下端部が第１シリンダ部３１に設けられたシリンダフランジ部３１ｂの上面に突き当たった状態である。図２では、ヘッド部３５が下端位置まで押し下げられる直前の状態を示している。
【００５４】
第１ピストン部３６ｂが環状凹部３１ｅと径方向に対向した状態において第１ピストン部３６ｂの下端部は、第１シリンダ部３１の内周面、すなわち環状凹部３１ｅの底面から径方向内側に離間する。そのため、第１シリンダ部３１の内部のうち第１ピストン部３６ｂよりも下方に位置する部分が、環状凹部３１ｅ、および可動部３４の外周面と第１シリンダ部３１の内周面との隙間を介して、第１連通孔部３１ｃと繋がる。これにより、第１シリンダ部３１内の内容物の一部が、第１連通孔部３１ｃから第１シリンダ部３１の外部に排出される。
【００５５】
この際、例えば第１シリンダ部３１と第２シリンダ部３２とが連通していると、第２シリンダ部３２内の内容物の一部が逆流し、吐出孔３５ｈから吐出される内容物の量が低下する問題があった。特に、ヘッド部３５が比較的速い速度で押し下げられる場合、ヘッド部３５および第２シリンダ部３２に対する可動部３４の下方への相対移動が促進され、上記のような問題がより生じやすい問題があった。
【００５６】
これに対して、本実施形態によれば、第２シリンダ部３２の内部から第１連通孔部３１ｃまでの間には、規制部としての第２逆止弁部３４ｂが設けられている。第２逆止弁部３４ｂは、第２シリンダ部３２の内部から第１シリンダ部３１の内部に向かう内容物の流れを遮断する。そのため、第２逆止弁部３４ｂによって、第１ピストン部３６ｂが環状凹部３１ｅと径方向に対向する状態において、第２シリンダ部３２の内部から第１連通孔部３１ｃに向かう向きに流れる内容物の流れを規制することができる。これにより、第２シリンダ部３２の内部から内容物が逆流して排出されることを抑制できる。したがって、本実施形態によれば、内容物の吐出量が減少することを抑制できる構造を有する吐出器３０が得られる。そのため、第２シリンダ部３２の容積を必要以上に大きくしなくても、所望の吐出量を得ることができる。したがって、吐出器３０を小型化できる。
【００５７】
また、第１連通孔部３１ｃを介して排出される内容物の量には、例えば第１シリンダ部３１の内部に収容されている内容物の量等に応じて、バラつきが生じやすい。そのため、従来のように第２シリンダ部３２の内部から内容物が排出されてしまう場合には、第２シリンダ部３２から排出される内容物の量にもバラつきが生じ、吐出器３０から吐出される内容物の量にバラつきが生じる場合があった。
これに対して、本実施形態によれば、第２逆止弁部３４ｂによって第２シリンダ部３２の内部から内容物が排出されることを抑制できるため、吐出器３０から吐出される内容物の量にバラつきが生じることも抑制できる。
【００５８】
また、本実施形態によれば、規制部が、第１連通孔部３１ｃから第２シリンダ部３２の内部に向かう向きに流れる内容物の流れを許容し、かつ、第２シリンダ部３２の内部から第１連通孔部３１ｃに向かう向きに流れる内容物の流れを遮断する第２逆止弁部３４ｂである。そのため、第１ピストン部３６ｂの上下方向の位置によらず、第２逆止弁部３４ｂによって、第２シリンダ部３２の内部の内容物が第１連通孔部３１ｃから排出されることを阻止できる。これにより、吐出器３０における内容物の吐出量が減少することをより抑制できる。
【００５９】
吐出孔３５ｈから内容物が吐出されていくと、第２シリンダ部３２の内部の圧力が低下していく。そのため、内容物が吐出されることに伴って第２シリンダ部３２の内部の圧力が低下していくとともに、可動部３４が付勢部材３８によって押し上げられていき、蓄圧弁部３７ｂが再び貫通孔３２ｃを閉塞することで内容物の吐出が終了する。このとき、ヘッド部３５は、下端位置まで押し下げられた状態である。
【００６０】
ここで、上述したように、ヘッド部３５が下端位置まで押し下げられた状態において、第１ピストン部３６ｂは、環状凹部３１ｅと径方向に対向する。そのため、第１シリンダ部３１の内部のうち第１ピストン部３６ｂよりも下方に位置する部分が、環状凹部３１ｅ、および可動部３４の外周面と第１シリンダ部３１の内周面との隙間を介して、第１連通孔部３１ｃと繋がる。
【００６１】
このように第１連通孔部３１ｃは、第１ピストン部３６ｂが環状凹部３１ｅと径方向に対向する状態において、環状凹部３１ｅを介して、第１シリンダ部３１の内部のうち第１ピストン部３６ｂよりも下方に位置する部分と第１シリンダ部３１の外部とを連通させる。これにより、第１シリンダ部３１の内部の圧力が第１連通孔部３１ｃを介して第１シリンダ部３１の外部に逃がされる。本実施形態において第１シリンダ部３１の内部の圧力は、第１連通孔部３１ｃを介して容器本体２０の内部に逃がされる。したがって、ヘッド部３５を押し下げた後に、第１シリンダ部３１の内部の圧力を好適に低下させることができる。そのため、ヘッド部３５を下端位置まで押し下げた後、付勢部材３８によってヘッド部３５が上方に復元移動する際に、第１シリンダ部３１の内部を好適に負圧とすることができる。これにより、吸引筒３１ｉを介して容器本体２０の内部の内容物を第１シリンダ部３１の内部に好適に吸引させることができる。したがって、次にヘッド部３５を押し下げた際においても、好適に内容物を吐出させることができる。
【００６２】
＜第２実施形態＞
本実施形態は、第１実施形態に対して、規制部の構成が異なる。なお、上述した実施形態と同様の構成については、適宜同一の符号を付す等により説明を省略する場合がある。
本実施形態の吐出器１３０における可動部１３４は、図３に示すように、第１プランジャ１３６と、第２プランジャ１３７と、を有する。
【００６３】
第１プランジャ１３６は、第１プランジャ筒部１３６ａと、第１プランジャ柱状部１３６ｂと、を有する。
第１プランジャ筒部１３６ａは、第１プランジャ１３６の下側部分である。第１プランジャ筒部１３６ａは、容器軸Ｏと同軸に配置され、下方に開口する有頂の円筒状である。第１プランジャ筒部１３６ａには、第１プランジャ筒部１３６ａの内部と外部とを繋ぐ複数の貫通孔１３６ｅが設けられている。貫通孔１３６ｅは、第１プランジャ筒部１３６ａの上端部に設けられている。貫通孔１３６ｅは、第１プランジャ筒部１３６ａの内周面から外周面までを径方向に貫通している。
【００６４】
第１プランジャ筒部１３６ａの内周面は、第１実施形態と同様に、下方から上方に向かうに従って内径が小さくなる縮径部３６ｃを有する。第１プランジャ筒部１３６ａの内周面には、径方向内側に突出する環状凸部（封止部）１３６ｆが設けられている。環状凸部１３６ｆは、容器軸Ｏと同軸に配置された円環状である。環状凸部１３６ｆは、縮径部３６ｃよりも上方に位置し、かつ、貫通孔１３６ｅよりも下方に位置する。
【００６５】
図３に二点鎖線で示すように、可動部１３４が下方に移動して第１ピストン部３６ｂが環状凹部３１ｅと径方向に対向した状態において、環状凸部１３６ｆの内側には、ガイド部３９の小径部３９ｂが嵌入される。環状凸部１３６ｆの内周面は小径部３９ｂの外周面に接触し、環状凸部１３６ｆが小径部３９ｂに対して上下方向に摺動可能な状態となる。この状態において、環状凸部１３６ｆの径方向内側はガイド部３９の小径部３９ｂによって閉塞される。これにより、ガイド部３９の外面と連通流路部１３４ａの内面との間が封止され、連通流路部１３４ａの内部が遮断される。このように、本実施形態において環状凸部１３６ｆは、第１ピストン部３６ｂが環状凹部３１ｅと径方向に対向する状態において、ガイド部３９の外面に接触してガイド部３９の外面と連通流路部１３４ａの内面との間を封止する封止部である。
【００６６】
第１プランジャ柱状部１３６ｂは、第１プランジャ筒部１３６ａの上端部から上方に延びている。第１プランジャ柱状部１３６ｂは、容器軸Ｏと同軸に配置された円柱状である。第１プランジャ柱状部１３６ｂの上端部は、蓄圧弁部１３６ｇである。蓄圧弁部１３６ｇは、第１プランジャ１３６に設けられている点を除いて、第１実施形態の蓄圧弁部３７ｂと同様の構成である。
【００６７】
第１プランジャ１３６の外周面には、径方向内側に窪み上下方向に延びる複数の溝部１３６ｄが設けられている。溝部１３６ｄの上端部は、蓄圧弁部１３６ｇの下端部における外周面に位置する。溝部１３６ｄの上端部は、上方に開口している。溝部１３６ｄの下端部は、貫通孔１３６ｅよりも下方に位置し、かつ、環状凸部１３６ｆよりも上方に位置する。複数の溝部１３６ｄは、容器軸Ｏを中心とする周方向に沿って間隔を空けて配置されている。複数の溝部１３６ｄの内部は、複数の貫通孔１３６ｅの内部のそれぞれと繋がっている。
【００６８】
第２プランジャ１３７は、容器軸Ｏと同軸に配置され、上下方向両側に開口する円筒状である。第２プランジャ１３７は、第１プランジャ１３６の上側部分に外嵌されて固定されている。第２プランジャ１３７は、蓄圧弁部３７ｂが設けられていない点を除いて、第１実施形態の第２プランジャ３７と同様の構成である。第２プランジャ１３７は、複数の溝部１３６ｄの径方向外側の開口を閉塞している。
本実施形態において連通流路部１３４ａは、第１プランジャ筒部１３６ａの内部、貫通孔１３６ｅ、および溝部１３６ｄと第２プランジャ１３７との径方向の隙間によって構成されている。
吐出器１３０のその他の構成は、第１実施形態の吐出器３０のその他の構成と同様である。
【００６９】
本実施形態によれば、上述したように、第１ピストン部３６ｂが環状凹部３１ｅと径方向に対向する状態において、封止部である環状凸部１３６ｆの内周面がガイド部３９の小径部３９ｂにおける外周面に接触して、ガイド部の外面と連通流路部１３４ａの内面との間を封止する。これにより、第１ピストン部３６ｂが環状凹部３１ｅと径方向に対向する状態において、連通流路部１３４ａの内部が遮断され、第２シリンダ部３２の内部の内容物が第１連通孔部３１ｃから排出されることを阻止できる。したがって、吐出器１３０における内容物の吐出量が減少することを抑制できる。また、吐出器１３０から吐出される内容物の吐出量にバラつきが生じることを抑制できる。このように、本実施形態では、封止部である環状凸部１３６ｆが、第１ピストン部３６ｂが環状凹部３１ｅと径方向に対向する状態において、第２シリンダ部３２の内部から第１連通孔部３１ｃに向かう向きに流れる内容物の流れを規制する規制部として機能する。
また、本実施形態によれば連通流路部１３４ａの内周面に環状凸部１３６ｆを設けることのみで規制部を構成できるため、逆止弁部を設ける場合に比べて吐出器１３０の構造を簡単にしつつ、吐出器１３０における内容物の吐出量が減少すること、および内容物の吐出量にバラつきが生じることを抑制できる。
【００７０】
＜第３実施形態＞
本実施形態は、第２実施形態に対して、環状凸部２３６ｆが設けられる位置が異なる。なお、上述した実施形態と同様の構成については、適宜同一の符号を付す等により説明を省略する場合がある。
本実施形態の吐出器２３０における可動部２３４は、図４に示すように、第１プランジャ２３６と、第２プランジャ１３７と、を有する。
【００７１】
本実施形態の第１プランジャ２３６において環状凸部（封止部）２３６ｆは、第１プランジャ筒部１３６ａの内周面のうち縮径部３６ｃよりも下方に位置する部分に設けられている。環状凸部２３６ｆは、例えば、第１プランジャ筒部１３６ａの内周面における下端部に設けられている。図４に二点鎖線で示すように、第１ピストン部３６ｂが環状凹部３１ｅと径方向に対向する状態において、環状凸部２３６ｆの内側には、ガイド部２３９の大径部３９ａが嵌入される。環状凸部２３６ｆの内周面は大径部３９ａ外周面に接触し、環状凸部２３６ｆが大径部３９ａに対して上下方向に摺動可能な状態となる。これにより、環状凸部２３６ｆは、ガイド部２３９の外面と連通流路部１３４ａの内面との間を封止する封止部として機能する。したがって、第２実施形態と同様に、第１ピストン部３６ｂが環状凹部３１ｅと径方向に対向する状態において、第２シリンダ部３２の内部の内容物が第１連通孔部３１ｃから排出されることを阻止でき、吐出器２３０における内容物の吐出量が減少することを抑制できる。また、内容物の吐出量にバラつきが生じることを抑制できる。
【００７２】
本実施形態のガイド部２３９は、テーパ部２３９ｃの位置が上述した実施形態のテーパ部３９ｃよりも下方に位置する点を除いて、上述した実施形態のテーパ部３９ｃの構成と同様である。本実施形態のテーパ部２３９ｃは、吐出器２３０が操作されていない状態において、可動部２３４よりも下方に位置する。
吐出器２３０のその他の構成は、第２実施形態の吐出器１３０のその他の構成と同様である。
【００７３】
＜第４実施形態＞
本実施形態は、第２実施形態に対して、環状凸部３３９ｄが設けられる位置が異なる。なお、上述した実施形態と同様の構成については、適宜同一の符号を付す等により説明を省略する場合がある。
本実施形態の吐出器３３０における環状凸部（封止部）３３９ｄは、図５に示すように、ガイド部３３９の上端部に設けられている。より詳細には、環状凸部３３９ｄは、ガイド部３３９のうち小径部３３９ｂの上端部における外周面から径方向外側に突出している。本実施形態において小径部３３９ｂの上端部は、上述した各実施形態の小径部３９ｂの上端部の位置よりも下方に位置する。
【００７４】
図５に二点鎖線で示すように、環状凸部３３９ｄは、第１ピストン部３６ｂが環状凹部３１ｅと径方向に対向する状態において、連通流路部１３４ａのうち縮径部３６ｃよりも上方に位置する部分に嵌入される。環状凸部３３９ｄの外周面は連通流路部１３４ａのうち縮径部３６ｃよりも上方に位置する部分の内周面に接触し、環状凸部３３９ｄは連通流路部１３４ａのうち縮径部３６ｃよりも上方に位置する部分に対して摺動可能な状態となる。これにより、環状凸部３３９ｄは、ガイド部３３９の外面と連通流路部１３４ａの内面との間を封止する封止部として機能する。これにより、第２実施形態と同様に、第１ピストン部３６ｂが環状凹部３１ｅと径方向に対向する状態において、第２シリンダ部３２の内部の内容物が第１連通孔部３１ｃから排出されることを阻止でき、吐出器３３０における内容物の吐出量が減少することを抑制できる。また、内容物の吐出量にバラつきが生じることを抑制できる。
吐出器３３０のその他の構成は、第２実施形態の吐出器１３０のその他の構成と同様である。
【００７５】
なお、本発明は上述した実施形態に限られず、下記の構成を採用することもできる。
規制部の構成は、第２シリンダ部の内部から連通孔部（第１連通孔部）までの間に設けられ、第１ピストン部が凹部（環状凹部）と径方向に対向する状態において、第２シリンダ部の内部から連通孔部に向かう向きに流れる内容物の流れを規制するならば、特に限定されない。第１実施形態のように、規制部が第２逆止弁部である場合、第２逆止弁部は、第２シリンダ部の内部から連通孔部までの間のいずれの位置に設けられてもよい。また、第２実施形態から第４実施形態までのように、規制部が封止部である場合、封止部は、ガイド部の外面と連通流路部の内面との少なくとも一方に設けられればよく、ガイド部の外面と連通流路部の内面との両方に設けられてもよい。第１シリンダ部に設けられる凹部は、環状でなくてもよい。
本明細書において説明した各構成は、相互に矛盾しない範囲内において、相互に組み合わせることができる。
【符号の説明】
【００７６】
２０…容器本体、２１…口部、３０，１３０，２３０，３３０…吐出器、３１…第１シリンダ部、３１ｃ…第１連通孔部（連通孔部）、３１ｅ…環状凹部（凹部）、３１ｆ…第１逆止弁部、３２…第２シリンダ部、３４，１３４，２３４…可動部、３４ａ，１３４ａ…連通流路部、３４ｂ…第２逆止弁部（規制部）、３５…ヘッド部、３５ｈ…吐出孔、３６ｂ…第１ピストン部、３７ｂ，１３６ｇ…蓄圧弁部、３７ｃ…第２ピストン部、３９，２３９，３３９…ガイド部、１３６ｆ，２３６ｆ，３３９ｄ…環状凸部（封止部，規制部）
【図１】
2020182888.tif 000003
【図２】
2020182888.tif 000004
【図３】
2020182888.tif 000005
【図４】
2020182888.tif 000006
【図５】
2020182888.tif 000007